(57)【要約】      （修正有）【課題】どのユーザが使用したのかを管理することができる薬液ディスペンサを提供する。【解決手段】薬液ディスペンサと共に用いられる電子機器１−１であって、薬液ディスペンサの使用の有無を検知するためのセンサ１６と、センサによる検知に基づいて、薬液ディスペンサの使用の有無を判定するプロセッサ１７と、電子タグＴＧからユーザ識別情報を読み取るリーダ１３と、情報処理装置３と通信する通信モジュール１１と、を備え、プロセッサは、薬液ディスペンサが使用されたと判定した場合、リーダが読み取ったユーザ識別情報を情報処理装置へ送信するよう通信モジュールを制御する。【選択図】図６
2020039658.tif 000002
【特許請求の範囲】
【請求項１】
薬液ディスペンサと共に用いられる電子機器であって、
薬液ディスペンサの使用の有無を検知するためのセンサと、
前記センサによる検知に基づいて、前記薬液ディスペンサの使用の有無を判定するプロセッサと、
電子タグからユーザ識別情報を読み取るリーダと、
情報処理装置と通信する通信モジュールと、
を備え、
前記プロセッサは、前記薬液ディスペンサが使用されたと判定した場合、前記リーダが読み取ったユーザ識別情報を前記情報処理装置へ送信するよう前記通信モジュールを制御する電子機器。
【請求項２】
前記プロセッサは、前記薬液ディスペンサが使用されたと判定した前に、前記リーダがユーザ識別情報を読み取れなかった場合、ユーザ識別情報が不明である旨を前記情報処理装置へ送信するよう前記通信モジュールを制御する
請求項１に記載の電子機器。
【請求項３】
前記プロセッサは、前記リーダがユーザ識別情報を読み取った後に、前記薬液ディスペンサが使用されなかった場合、当該ユーザ識別情報を破棄する
請求項１または２に記載の電子機器。
【請求項４】
前記薬液ディスペンサは、薬液を吐出する際にノズルが動くものであり、
前記センサは、前記ノズルの動きを検知するためのセンサである
請求項１から３のいずれか一項に記載の電子機器。
【請求項５】
前記薬液ディスペンサのノズルの方向に赤外線を出射する光源を更に備え、
前記センサは、前記赤外線の受光を検知する赤外線センサであり、
前記プロセッサは、前記光源から前記赤外線を出射して前記ノズルによって反射された反射光を前記センサが検知するまでの時間に基づいて、前記薬液ディスペンサが使用されたか否かを判定する
請求項４に記載の電子機器。
【請求項６】
音を出力する音出力器を備え、
前記プロセッサは、前記リーダがユーザ識別情報を読み取れた場合、当該リーダの読み取りが成功したことに対応する音を出力するよう音出力器を制御する
請求項１から５のいずれか一項に記載の電子機器。
【請求項７】
音を出力する音出力器を備え、
前記プロセッサは、前記リーダによるユーザ識別情報の読み取りが行われずに、前記薬液ディスペンサが使用されたと判定した場合、ユーザ識別情報が読み取られていないことに対応する音を出力するよう音出力器を制御するとともに、前記薬液ディスペンサを使用した日時を前記情報処理装置へ送信するよう前記通信モジュールを制御する
請求項１から６のいずれか一項に記載の電子機器。
【請求項８】
前記プロセッサは、前記薬液ディスペンサが使用されたと判定した場合、前記リーダが読み取ったユーザ識別情報とともに、当該薬液ディスペンサを使用した日時を前記情報処理装置へ送信するよう前記通信モジュールを制御する
請求項１から７のいずれか一項に記載の電子機器。
【請求項９】
前記プロセッサは、前記薬液ディスペンサが使用されたと判定した場合、前記リーダが読み取ったユーザ識別情報とともに、当該電子機器を識別する情報または当該薬液ディスペンサを識別する情報を前記情報処理装置へ送信するよう前記通信モジュールを制御する
請求項１から８のいずれか一項に記載の電子機器。
【請求項１０】
請求項１から９のいずれか一項に記載の電子機器を備える薬液ディスペンサ。
【発明の詳細な説明】
【技術分野】
【０００１】
本発明は、電子機器及び薬液ディスペンサに関する。
【背景技術】
【０００２】
従来、薬液（例えば、ハンドソープ、アルコール、殺菌剤など）を吐出する薬液ディスペンサが知られている。バクテリアまたはウィルスの伝染を予防するために、薬液ディスペンサの使用を監視する衛生順守管理システムが開発されてきている。
【０００３】
例えば、特許文献１には、ディスペンサコントローラであって、アクチュエータに連結され、前記アクチュエータが作動されたときに、ディスペンサのディスペンス動作を開始するディスペンサコントローラと、ディスペンサコントローラに連結されるように適合されているデータ収集ユニットはデータ格納メモリを有するデータ収集メモリーユニットを含み、前記データ収集メモリーユニットの前記データ格納メモリーは、所定の時間間隔で間断なく定期的で連続な複数の時間区分に分割され、アクチュエータの作動回数と、作動が発生した複数の各時間区分とを関連づけるデータ収集ユニットと、データ収集ユニットと無線通信することにより、そこから、前記関連している作動回数と時間区分とを受信する、データ取得ユニットを備えている、衛生順守管理システムが開示されている。
【０００４】
また、特許文献２には、アクチュエータが材料を分注するように作動される時に、作動信号を通信インターフェースに供給するディスペンサコントローラを有するディスペンサの中に挿入されるように構成される衛生順守モジュールであって、ディスペンサの通信インターフェースが、衛生順守モジュールを受容するための通信ポートを有する、衛生順守モジュールにおいて、コネクタを有し、前記ディスペンサコントローラに電気的に連結するためにディスペンサの通信ポートに挿入されるように適応するカードと、カード上に配置され、コネクタに連結されるモジュールコントローラであって、コネクタがディスペンサの前記通信ポートに挿入される時に、モジュールコントローラがディスペンサコントローラからの作動信号を分注事象データとして検出するように構成される、モジュールコントローラと、モジュールコントローラに連結される送信機と、を備え、ディスペンサの前記アクチュエータが作動される時に、送信機が分注事象データを監視ステーションへ送信する、衛生順守モジュールが開示されている。
【先行技術文献】
【特許文献】
【０００５】
【特許文献１】特開２０１１−３６６４８号公報
【特許文献２】特表２０１３−５４３７５７号公報
【発明の概要】
【発明が解決しようとする課題】
【０００６】
しかしながら、特許文献１及び２の技術では、どのユーザが薬液ディスペンサを使用したのかを管理できないという問題がある。
【０００７】
本発明は、上記問題に鑑みてなされたものであり、どのユーザが薬液ディスペンサを使用したのかを管理することを可能とする電子機器及び薬液ディスペンサを提供することを目的とする。
【課題を解決するための手段】
【０００８】
本発明の第１の態様に係る電子機器は、薬液ディスペンサと共に用いられる電子機器であって、薬液ディスペンサの使用の有無を検知するためのセンサと、前記センサによる検知に基づいて、前記薬液ディスペンサの使用の有無を判定するプロセッサと、電子タグからユーザ識別情報を読み取るリーダと、情報処理装置と通信する通信モジュールと、を備え、前記プロセッサは、前記薬液ディスペンサが使用されたと判定した場合、前記リーダが読み取ったユーザ識別情報を前記情報処理装置へ送信するよう前記通信モジュールを制御する。
【０００９】
この構成によれば、情報処理装置がどのユーザが薬液ディスペンサを使用したかの履歴を蓄積することができるので、どのユーザが薬液ディスペンサを使用したかを管理することができる。
【００１０】
本発明の第２の態様に係る電子機器は、第１の態様に係る電子機器であって、前記プロセッサは、前記薬液ディスペンサが使用されたと判定した前に、前記リーダがユーザ識別情報を読み取れなかった場合、ユーザ識別情報が不明である旨を前記情報処理装置へ送信するよう前記通信モジュールを制御する。
【００１１】
この構成によれば、ユーザ識別情報が読み取られていない場合であっても、薬液ディスペンサの使用履歴を残すことができる。
【００１２】
本発明の第３の態様に係る電子機器は、第１または２の態様に係る電子機器であって、前記プロセッサは、前記リーダがユーザ識別情報を読み取った後に、前記薬液ディスペンサが使用されなかった場合、当該ユーザ識別情報を破棄する。
【００１３】
この構成によれば、ユーザ識別情報が破棄されるので、次にユーザ識別情報が読み取られていない状態で薬液ディスペンサが使用された場合であっても、この破棄されたユーザ識別情報で薬液ディスペンサが使用されたという履歴が残ることを防止することができる。
【００１４】
本発明の第４の態様に係る電子機器は、第１から３のいずれかの態様に係る電子機器であって、前記薬液ディスペンサは、薬液を吐出する際にノズルが動くものであり、前記センサは、前記ノズルの動きを検知するためのセンサである。
【００１５】
この構成によれば、薬液が吐出される際にノズルが動いたことを検出することができるので、薬液ディスペンサの使用を検出することができる。
【００１６】
本発明の第５の態様に係る電子機器は、第４の態様に係る電子機器であって、前記薬液ディスペンサのノズルの方向に赤外線を出射する光源を更に備え、前記センサは、前記赤外線の受光を検知する赤外線センサであり、前記プロセッサは、前記光源から前記赤外線を出射して前記ノズルによって反射された反射光を前記センサが検知するまでの時間に基づいて、前記薬液ディスペンサが使用されたか否かを判定する。
【００１７】
この構成によれば、薬液が吐出される際にノズルが動いたことを検出することができるので、薬液ディスペンサの使用（すなわち薬液ディスペンサを用いた手洗い）の検出精度を向上させることができる。
【００１８】
本発明の第６の態様に係る電子機器は、第１から５のいずれかの態様に係る電子機器であって、音を出力する音出力器を備え、前記プロセッサは、前記リーダがユーザ識別情報を読み取れた場合、当該リーダの読み取りが成功したことに対応する音を出力するよう音出力器を制御する。
【００１９】
この構成によれば、ユーザはリーダによる読み取りの成功の有無を把握することができる。
【００２０】
本発明の第７の態様に係る電子機器は、第１から６のいずれかの態様に係る電子機器であって、音を出力する音出力器を備え、前記プロセッサは、前記リーダによるユーザ識別情報の読み取りが行われずに、前記薬液ディスペンサが使用されたと判定した場合、ユーザ識別情報が読み取られていないことに対応する音を出力するよう音出力器を制御するとともに、前記薬液ディスペンサを使用した日時を前記情報処理装置へ送信するよう前記通信モジュールを制御する。
【００２１】
この構成によれば、ユーザは、薬液ディスペンサの使用の前に、電子タグをリーダにかざすのを怠っていたことを把握することができる。この場合、ユーザ識別情報の取得に失敗しても薬液ディスペンサ使用データを情報処理装置に送ることで、薬液ディスペンサ内の薬液の推定使用量または残量の把握を行うことができる。
【００２２】
本発明の第８の態様に係る電子機器は、第１から７のいずれかの態様に係る電子機器であって、前記プロセッサは、前記薬液ディスペンサが使用されたと判定した場合、前記リーダが読み取ったユーザ識別情報とともに、当該薬液ディスペンサを使用した日時を前記情報処理装置へ送信するよう前記通信モジュールを制御する。
【００２３】
この構成によれば、薬液ディスペンサを使用した日時も情報処理装置によって蓄積されるので、薬液ディスペンサを使用した日時も管理することができる。
【００２４】
本発明の第９の態様に係る電子機器は、第１から８のいずれかの態様に係る電子機器であって、前記プロセッサは、前記薬液ディスペンサが使用されたと判定した場合、前記リーダが読み取ったユーザ識別情報とともに、当該電子機器を識別する情報または当該薬液ディスペンサを識別する情報を前記情報処理装置へ送信するよう前記通信モジュールを制御する。
【００２５】
この構成によれば、当該電子機器を識別する情報または当該薬液ディスペンサを識別する情報も情報処理装置によって蓄積されるので、どの薬液ディスペンサを使用したかも管理することができる。
【００２６】
本発明の第１０の態様に係る薬液ディスペンサは、第１から９のいずれかの態様に係る電子機器を備える。
【００２７】
この構成によれば、情報処理装置がどのユーザが薬液ディスペンサを使用したかの履歴を蓄積することができるので、どのユーザが薬液ディスペンサを使用したかを管理することができる。
【発明の効果】
【００２８】
本発明の一態様によれば、情報処理装置がどのユーザが薬液ディスペンサを使用したかの履歴を蓄積することができるので、どのユーザが薬液ディスペンサを使用したかを管理することができる。
【図面の簡単な説明】
【００２９】
【図１】本実施形態に係る情報処理システムの構成の一例を示すブロック図である。
【図２】本実施形態に係る情報処理装置の構成の一例を示すブロック図である。
【図３】情報処理装置の記憶部に記憶されている各マスタテーブルの一例である。
【図４】情報処理装置の記憶部に記憶されているディスペンサ使用履歴テーブルの一例である。
【図５】本実施形態に係る薬液ディスペンサの構成の一例を示すブロック図である。
【図６】本実施形態に係る電子機器の構成の一例を示すブロック図である。
【図７Ａ】薬液を排出する前のノズルの状態を示す図である。
【図７Ｂ】薬液を排出する際のノズルの状態を示す図である。
【図８】端末装置に表示される画面の一例である。
【図９】電子機器の処理の一例を示すフローチャートの第１の例である。
【図１０】電子機器の処理の一例を示すフローチャートの第２の例である。
【発明を実施するための形態】
【００３０】
以下、各実施形態について、図面を参照しながら説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００３１】
本実施形態に係る情報処理システムの構成について図１を用いて説明する。図１は、本実施形態に係る情報処理システムの構成の一例を示すブロック図である。図１に示すように、情報処理システムＳは例えば、ゲートウェイＧＷ１と、ゲートウェイＧＷ１と通信する電子機器１−１、１−２と、一例として電子機器１−１が取り付けられた薬液ディスペンサ２−１と、一例として電子機器１−２が取り付けられた薬液ディスペンサ２−２とを備える。ここでゲートウェイＧＷ１と電子機器１−１、１−２との通信は有線であっても無線であってもよいが、本実施形態では一例として無線であるものとして説明する。
【００３２】
更に情報処理システムＳは例えば、ゲートウェイＧＷ２と、ゲートウェイＧＷ２と通信する電子機器１−３、１−４と、一例として電子機器１−３が取り付けられた薬液ディスペンサ２−３と、一例として電子機器１−４が取り付けられた薬液ディスペンサ２−４とを備える。ここでゲートウェイＧＷ１と電子機器１−３、１−４との通信は有線であっても無線であってもよいが、本実施形態では一例として無線であるものとして説明する。また薬液ディスペンサ２−１〜２−４は、薬液（例えば、ハンドソープ、アルコール、殺菌剤など）を吐出するディスペンサである。
【００３３】
電子機器１−１〜１−４を、薬液ディスペンサ２−１〜２−４と別個に設けることにより、電子機器１−１〜１−４を既存の薬液ディスペンサに取り付けることができるので、既存の薬液ディスペンサを利用することができ、情報処理システムＳの導入コストを抑えることができる。
【００３４】
ゲートウェイＧＷ１、ＧＷ２と通信回路網ＮＷを介して通信する情報処理装置３、及び通信回路網ＮＷを介して情報処理装置３に接続されている端末装置４を備える。情報処理装置３は一例としてサーバである。ここでゲートウェイＧＷ１、ＧＷ２と通信回路網ＮＷとの間の通信は有線であっても無線であってもよいが、本実施形態では一例として無線であるものとして説明する。また端末装置４と通信回路網ＮＷとの間の通信は有線であっても無線であってもよいが、本実施形態では一例として無線であるものとして説明する。また情報処理装置３と通信回路網ＮＷとの間の通信は有線であっても無線であってもよいが、本実施形態では一例として無線であるものとして説明する。
【００３５】
電子機器１−１と薬液ディスペンサ２−１とは一つの薬液ディスペンサシステムＤＳ１を構成する。同様に電子機器１−２と薬液ディスペンサ２−２とは一つの薬液ディスペンサシステムＤＳ２を構成する。同様に電子機器１−３と薬液ディスペンサ２−３とは一つの薬液ディスペンサシステムＤＳ３を構成する。同様に電子機器１−４と薬液ディスペンサ２−４とは一つの薬液ディスペンサシステムＤＳ４を構成する。電子機器１−１〜１−４を総称して電子機器１とも呼び、薬液ディスペンサ２−１〜２−４を総称して薬液ディスペンサ２とも呼ぶ。
【００３６】
図２は、本実施形態に係る情報処理装置の構成の一例を示すブロック図である。図２に示すように、情報処理装置３は、記憶部３１、メモリ３２、入力部３３、通信部３４及びＣＰＵ（Central Processing Unit）３５を備える。各部はバスを介して接続されている。
【００３７】
記憶部３１は、ＣＰＵ３５が読み出して実行するためのプログラムが記憶されている。
メモリ３２は、一時的に情報を記憶する。メモリ３２は例えばＲＡＭ（Random Access Memory）である。
入力部３３は、情報処理装置３の管理者からの入力を受け付ける。例えば、入力部３３は、図３に示すディスペンサマスタテーブルＭ１、ユーザマスタテーブルＭ２に格納する情報を受け付ける。これにより、ＣＰＵ３５により、記憶部３１に記憶されているディスペンサマスタテーブルＭ１、ユーザマスタテーブルＭ２が更新される。
通信部３４は、通信回路網ＮＷ及びゲートウェイＧＷ１、ＧＷ２を介して電子機器１−１〜１−４と通信する。
【００３８】
ＣＰＵ３５は、入力部３３に入力された情報に応じて、記憶部３１に記憶されているディスペンサマスタテーブルＭ１、ユーザマスタテーブルＭ２を更新する。また、ＣＰＵ３５は、通信部３４が受信した情報に応じて、記憶部３１に記憶されているディスペンサ使用履歴テーブルＴ１を更新する。またＣＰＵ３５は、通信部３４を制御する。
【００３９】
図３は、情報処理装置の記憶部に記憶されている各マスタテーブルの一例である。図３に示すように、ディスペンサマスタテーブルＭ１には、薬液ディスペンサを識別する識別情報であるディスペンサＩＤと、ゲートウェイを識別する識別情報であるゲートウェイＩＤと、薬液ディスペンサ電子機器を識別する識別情報である電子機器ＩＤと、当該薬液ディスペンサが設置されている場所との組がレコードとして格納されている。
【００４０】
図３に示すように、ユーザマスタテーブルＭ２には、ユーザを識別するユーザ識別情報の一例であるユーザＩＤ、当該ユーザの名前、当該ユーザの役職の組がレコードとして格納されている。
【００４１】
図４は、情報処理装置の記憶部に記憶されているディスペンサ使用履歴テーブルの一例である。図４に示すように、ディスペンサ使用履歴テーブルＴ１には、薬液ディスペンサを使用した日時、薬液ディスペンサを識別する識別情報であるディスペンサＩＤ、ユーザを識別する識別情報であるユーザＩＤの組がレコードとして格納されている。
本実施形態に係る薬液ディスペンサを使用した日時は一例として、電子機器１の後述するプロセッサ１７が、電子機器１の後述するセンサ１６による検知に基づいて、薬液ディスペンサ２の後述するノズル２２が動いたか否かまたは当該ノズル２２の下に手がかざされたと判定した日時であるものとして説明する。
【００４２】
なお、薬液ディスペンサを使用した日時は、電子機器１がユーザＩＤを情報処理装置３へ送信した日時であってもよいし、情報処理装置３がユーザＩＤを電子機器１から受信した日時であってもよいし、情報処理装置３が対応するレコードを追加する日時であってもよい。また、薬液ディスペンサを使用した日時は、情報処理装置３がユーザＩＤを電子機器１から受信した日時から予め設定した転送遅延時間だけ前の日時であってもよいし、情報処理装置３が対応するレコードを追加する日時から予め設定した遅延時間だけ前の日時であってもよい。
【００４３】
図５は、本実施形態に係る薬液ディスペンサの構成の一例を示すブロック図である。薬液ディスペンサ２−１〜２−４の構成は共通しているから、代表して薬液ディスペンサ２−１の構成について説明する。図５に示すように、薬液ディスペンサ２−１は、ボトル２１、ボトル２１に連通するノズル２２、押部材２３、アクチュエータ２４、第２の光源２５、第２のセンサ２６、及びプロセッサ２７を備える。
【００４４】
ボトル２１には、薬液がつめられる。
アクチュエータ２４は、押部材２３を移動させる。
ノズル２２は、薬液を排出するためのものであり、ノズル２２は、中空の蛇腹部材２２１を有する。薬液を排出する際には、アクチュエータ２４によって押部材２３が上方（ｚ方向）に持ち上がり、蛇腹部材２２１を押しつぶすことによって、ノズル２２の先端が上方（ｚ方向）に持ち上がる。
【００４５】
第２の光源２５は下方（−ｚ方向）に光（ここでは一例として赤外線）を出射する。
第２のセンサ２６は、光（ここでは一例として赤外線）の反射光を検出する。
【００４６】
プロセッサ２７は、第２のセンサ２６が反射光（例えば赤外線）を検出した場合、アクチュエータ２４を駆動させて、押部材２３を上方（ｚ方向）に持ち上げる。これにより、上下に弁を有した蛇腹部材２２１が押しつぶれてボトル２１から薬液がノズル２２内を通って外部へ排出される。これにより、手を薬液ディスペンサ２−１にかざすだけで、薬液が手に排出される。そのため、薬液ディスペンサ２−１に触れずに使用できるので、二次感染のリスクを低減することができる。
【００４７】
図６は、本実施形態に係る電子機器の構成の一例を示すブロック図である。電子機器１−１〜１−４の構成は共通しているから、代表して電子機器１−１の構成について説明する。図６に示すように、電子機器１−１は、通信モジュール１１、記憶部１２、リーダ１３、音出力器１４、光源１５、センサ１６、及びプロセッサ１７を備える。
【００４８】
通信モジュール１１、ゲートウェイＧＷ１と通信回路網ＮＷを介して情報処理装置３と通信する。この通信は一例として無線である。なお、この通信は有線であってもよい。
記憶部１２は、プロセッサ１７が読み出して実行するためのプログラムが記憶されている。記憶部１２には、当該電子機器１−１を識別する情報、または対応する薬液ディスペンサ２−１を識別する情報が記憶されていてもよい。
電子タグＴＧには、当該ユーザを識別するユーザＩＤが記憶されている。電子タグＴＧは例えばＲＦＩＤタグである。
【００４９】
リーダ１３は、ユーザが使用する電子タグＴＧから、当該電子タグＴＧに記憶されているユーザＩＤを読み取る。
音出力器１４は、音を出力する。音出力器１４は例えばブザーである。
光源１５は、薬液ディスペンサ２−１の後述するノズル２２の方向に赤外線を出射する。
【００５０】
センサ１６は、薬液ディスペンサ２−１の使用の有無を検知するためのセンサである。具体的には例えばセンサ１６は、薬液を吐出するノズル２２の動き、または当該ノズル２２の下にかざされた手を検知するためのセンサである。本実施形態に係るセンサ１６は一例として、ノズル２２の動きを検知するためのセンサであり、光源１５からの光がノズルの動きによって変化したのを検知する受光部を有するフォトセンサである。これにより、光源１５からの光が、ノズル２２の動きによって変化したのをセンサ１６で検知して、プロセッサ１７は、薬液ディスペンサ２が使用されたか否かを判定する。そのフォトセンサの一例として、センサ１６は赤外線の受光を検知する赤外線センサであるものとして以下、説明する。
【００５１】
プロセッサ１７は、薬液ディスペンサ２−１の使用の有無を判定する。具体的には例えばプロセッサ１７は、センサ１６による検知に基づいて、ノズル２２が動いたか否かまたは当該ノズル２２の下に手がかざされたか否かを判定する。ノズル２２の下に手をかざしてもノズル２２が動かず、薬液を吐出できない場合もあるので、本実施形態では一例として、薬液ディスペンサ２の使用（すなわち薬液ディスペンサ２を用いた手洗い）の有無を、ノズル２２が動いたか否かで判定する。
【００５２】
図７Ａ及び図７Ｂを用いて、ノズル２２が動いたか否かの判定方法について説明する。薬液ディスペンサ２−１は一例として、薬液を吐出する際にノズル２２の先端が上昇するものである。図７Ａは、薬液を排出する前のノズルの状態を示す図である。図７Ｂは、薬液を排出する際のノズルの状態を示す図である。図７Ａに示すように、電子機器１−１は、薬液を排出する前において、光源１５からの赤外線がノズル２２によって反射されるように、設置される。これにより、光源１５から赤外線を出射してセンサ１６により反射波を受光するまでの時間が、閾値時間以内に収まる。
【００５３】
一方、図７Ｂに示すように、電子機器１−１は、薬液を排出する際において、蛇腹部材２２１が押し潰れてノズル２２の先端が上昇する。この薬液を排出する際において、光源１５からの赤外線がノズル２２によって反射されないように、電子機器１−１は設置される。これにより、光源１５からの赤外線がノズル２２によって反射されないので、センサ１６は、赤外線を検知できないか、または赤外線を出射してセンサ１６により反射波を受光するまでの時間が閾値時間を超える。
【００５４】
これを利用して、本実施形態では一例として、プロセッサ１７は、光源１５から赤外線を出射してノズル２２によって反射された反射光をセンサ１６が検知するまでの時間が、閾値時間を超える場合、ノズル２２が動いて薬液ディスペンサ２−１が使用されたと判定する。これにより、薬液が吐出される際のノズル２２の先端が上がった状態を検出することができるので、薬液ディスペンサ２の使用（すなわち薬液ディスペンサ２を用いた手洗い）の検出精度を向上させることができる。
【００５５】
このように、薬液ディスペンサ２−１は、薬液を吐出する際にノズル２２が動くものであり、プロセッサ１７は、光源１５から赤外線を出射してノズル２２によって反射された反射光をセンサが検知するまでの時間に基づいて、薬液ディスペンサ２−１が使用されたか否かを判定する。これにより、薬液が吐出される際にノズルが動いたことを検出することができるので、薬液ディスペンサの使用（すなわち薬液ディスペンサ２を用いた手洗い）の検出精度を向上させることができる。
【００５６】
プロセッサ１７は、薬液ディスペンサ２−１が使用されたと判定した場合、リーダ１３が読み取ったユーザＩＤを情報処理装置３へ送信するよう通信モジュール１１を制御する。本実施形態ではその一例として、プロセッサ１７は、薬液ディスペンサ２−１が使用されたと判定した場合、リーダ１３が読み取ったユーザ識別情報とともに、当該薬液ディスペンサ２−１を使用した日時、当該電子機器１−１を識別する情報である電子機器ＩＤまたは当該薬液ディスペンサ２−１を識別する情報であるディペンサＩＤを情報処理装置３へ送信するよう通信モジュール１１を制御する。これにより、情報処理装置３では、図４のディスペンサ使用履歴テーブルＴ１にレコードが追加される。
【００５７】
図８は、端末装置４に表示される画面の一例である。端末装置４の要求に応じて、情報処理装置３のＣＰＵ３５は、記憶部３１を参照して、図８の画面を表示するための情報を生成し、生成した情報を端末装置４へ出力する。これにより、図８に示すように、端末装置４には、ディスペンサ使用履歴が表示される。よって、端末装置４の出力を衛生管理者が見て、ユーザの手洗いを指導することができる。例えば、１時間に一回手洗いを励行している場合、それを実施しているか確認することができる。また、同時間勤務している従業員と比較し、明らかに回数が少ない場合指導する等を行うことができる。
【００５８】
図９は、電子機器の処理の一例を示すフローチャートの第１の例である。
【００５９】
（ステップＳ１１）プロセッサ１７は、リーダ１３が電子タグＴＧからユーザＩＤを読み取ったか否か判定する。
【００６０】
（ステップＳ１２）ステップＳ１２において、リーダ１３が電子タグＴＧからユーザＩＤを読み取った場合、プロセッサ１７は、当該ユーザＩＤの保存と読み取った時刻を保存する。更に、プロセッサ１７は、リーダ１３の読み取りが成功したことに対応する音を出力するよう音出力器１４を制御する。これにより、ユーザはリーダ１３による読み取りの成功の有無を把握することができる。
【００６１】
（ステップＳ１３）次にプロセッサ１７は、ユーザＩＤを読み取ってから設定時間内に薬用ディスペンサが使用されたか否か判定する。
【００６２】
（ステップＳ１４）ステップＳ１３において、ユーザＩＤを読み取ってから設定時間内に薬用ディスペンサが使用されたと判定された場合、プロセッサ１７は、読み取れたユーザＩＤと薬液ディスペンサを使用した日時を情報処理装置３へ送信するよう通信モジュール１１を制御する。
【００６３】
（ステップＳ１５）ステップＳ１３において、ユーザＩＤを読み取ってから設定時間内に薬用ディスペンサが使用されなかったと判定された場合、プロセッサ１７は、当該ユーザＩＤを破棄する。その一例としてプロセッサ１７は、保存したユーザＩＤを削除する。これにより、ユーザＩＤが破棄されるので、次にユーザＩＤが読み取られていない状態で薬液ディスペンサが使用された場合であっても、この破棄されたユーザＩＤで薬液ディスペンサが使用されたという履歴が残ることを防止することができる。
【００６４】
（ステップＳ１６）ステップＳ１２において、リーダ１３が電子タグＴＧからユーザＩＤを読み取っていない場合、プロセッサ１７は、薬液ディスペンサが使用されたか否か判定する。
【００６５】
（ステップＳ１７）ステップＳ１６において、薬液ディスペンサが使用されたと判定された場合、プロセッサ１７は、ユーザＩＤが読み取られていないことに対応する音を出力するよう音出力器１４を制御する。これにより、ユーザは、薬液ディスペンサの使用の前に、電子タグＴＧをリーダ１３にかざすのを怠っていたことを把握することができる。
更にプロセッサ１７は、ユーザＩＤが不明である旨と薬液ディスペンサを使用した日時を情報処理装置３へ送信するよう通信モジュール１１を制御する。これにより、ユーザ識別情報が読み取られていない場合であっても、薬液ディスペンサの使用履歴を残すことができる。この場合、ユーザ識別情報の取得に失敗しても薬液ディスペンサ使用データを情報処理装置３に送ることで、薬液ディスペンサ内の薬液の推定使用量または残量の把握を行うことができる。
【００６６】
図１０は、電子機器の処理の一例を示すフローチャートの第２の例である。プロセッサ１７は、ステップＳ１０１〜Ｓ１０４の処理と、ステップＳ２０１〜Ｓ２０４の処理とを並行して実行する。
【００６７】
（ステップＳ１０１）プロセッサ１７は、リーダ１３が電子タグＴＧからユーザＩＤを読み取ったか否か判定する。
【００６８】
（ステップＳ１０２）ステップＳ１０１で、リーダ１３が電子タグＴＧからユーザＩＤを読み取った場合、プロセッサ１７は、当該ユーザＩＤの保存と読み取った時刻を保存する。更に、プロセッサ１７は、リーダ１３の読み取りが成功したことに対応する音を出力するよう音出力器１４を制御する。これにより、ユーザはリーダ１３による読み取りの成功の有無を把握することができる。
【００６９】
（ステップＳ１０３）次に、プロセッサ１７は、ユーザＩＤを読み取ってから設定時間、薬液ディスペンサが使用されなかったか否か判定する。具体的には例えばプロセッサ１７は、ユーザＩＤを読み取ってから設定時間、光源１５から赤外線を出射してノズル２２によって反射された反射光をセンサ１６が検知するまでの時間が、閾値時間を超えなかったか否か判定する。
【００７０】
（ステップＳ１０４）ステップＳ１０３で、ユーザＩＤを読み取ってから設定時間、薬液ディスペンサが使用されなかった場合（例えば、ユーザＩＤを読み取ってから設定時間、光源１５から赤外線を出射してノズル２２によって反射された反射光をセンサ１６が検知するまでの時間が、閾値時間を超えなかった場合）、プロセッサ１７は、当該ユーザＩＤを破棄する。その一例としてプロセッサ１７は、保存したユーザＩＤを削除する。これにより、ユーザＩＤが破棄されるので、次にユーザＩＤが読み取られていない状態で薬液ディスペンサが使用された場合であっても、この破棄されたユーザＩＤで薬液ディスペンサが使用されたという履歴が残ることを防止することができる。
【００７１】
（ステップＳ２０１）プロセッサ１７は、薬液ディスペンサが使用されたか否か判定する。具体的には例えばプロセッサ１７は、光源１５から赤外線を出射してノズル２２によって反射された反射光をセンサ１６が検知するまでの時間が、閾値時間を超えたか否か判定する。
【００７２】
（ステップＳ２０２）ステップＳ２０１で、薬液ディスペンサが使用された場合（例えば、光源１５から赤外線を出射してノズル２２によって反射された反射光をセンサ１６が検知するまでの時間が、閾値時間を超えた場合）、プロセッサ１７は、直前の第２の設定時間の間に、リーダ１３がユーザＩＤを読み取れたか否か判定する。この第２の設定時間は、ステップＳ１０３の設定時間と同じ時間であってもよいし、異なる時間であってもよい。
【００７３】
（ステップＳ２０３）ステップＳ２０２で直前の第２の設定時間の間に、リーダ１３がユーザＩＤを読み取れた場合、プロセッサ１７は、読み取れたユーザＩＤと薬液ディスペンサを使用した日時を情報処理装置３へ送信するよう通信モジュール１１を制御する。これにより、情報処理装置３では、図４のディスペンサ使用履歴テーブルＴ１にレコードが追加される。このように、いつどのユーザが薬液ディスペンサを使用したかの履歴が情報処理装置によって蓄積されるので、いつどのユーザが薬液ディスペンサを使用したかを管理することができる。
【００７４】
この際、プロセッサ１７は、当該電子機器１−１を識別する情報である電子機器ＩＤまたは当該薬液ディスペンサ２−１を識別する情報であるディペンサＩＤも情報処理装置３へ送信するよう通信モジュール１１を制御してもよい。これにより、当該電子機器１−１を識別する情報または当該薬液ディスペンサ２−１を識別する情報も情報処理装置によって蓄積されるので、どの薬液ディスペンサを使用したかも管理することができる。
【００７５】
（ステップＳ２０４）ステップＳ２０２で直前の第２の設定時間の間に、リーダ１３がユーザＩＤを読み取れなかった場合、プロセッサ１７は、ユーザ識別情報が読み取られていないことに対応する音を出力するよう音出力器１４を制御する。これにより、ユーザは、薬液ディスペンサの使用の前に、電子タグＴＧをリーダ１３にかざすのを怠っていたことを把握することができる。
【００７６】
更にプロセッサ１７は、ユーザＩＤが不明である旨と薬液ディスペンサを使用した日時を情報処理装置３へ送信するよう通信モジュール１１を制御する。これにより、情報処理装置３では、図４のディスペンサ使用履歴テーブルＴ１に、ユーザＩＤが不明である旨を含むレコードが追加される。これにより、ユーザ識別情報が読み取られていない場合であっても、薬液ディスペンサの使用履歴を残すことができる。この場合、ユーザ識別情報の取得に失敗しても薬液ディスペンサ使用データを情報処理装置３に送ることで、薬液ディスペンサ内の薬液の推定使用量または残量の把握を行うことができる。
この際、プロセッサ１７は、当該電子機器１−１を識別する情報である電子機器ＩＤまたは当該薬液ディスペンサ２−１を識別する情報であるディペンサＩＤも情報処理装置３へ送信するよう通信モジュール１１を制御してもよい。
【００７７】
以上、本実施形態に係る電子機器１は、薬液ディスペンサ２と共に用いられる電子機器１である。電子機器１は、薬液ディスペンサ２の使用の有無を検知するためのセンサ１６と、センサ１６による検知に基づいて、薬液ディスペンサの使用の有無を判定するプロセッサ１７と、電子タグＴＧからユーザ識別情報を読み取るリーダ１３と、情報処理装置３と通信する通信モジュール１１と、を備える。プロセッサ１７は、薬液ディスペンサ２が使用されたと判定した場合、リーダ１３が読み取ったユーザ識別情報を情報処理装置３へ送信するよう通信モジュール１１を制御する。
【００７８】
この構成により、情報処理装置がどのユーザが薬液ディスペンサを使用したのかの履歴を蓄積することができるので、どのユーザが薬液ディスペンサを使用したのかの履歴を管理することができる。
【００７９】
また本実施形態では、薬液ディスペンサ２−１〜２−４と共に用いられる電子機器１−１〜１−４を、対応する薬液ディスペンサ２−１〜２−４に取り付けたが、これに限ったものではなく、電子機器１−１〜１−４を壁など他の物に固定してもよい。
また本実施形態では、電子機器１−１〜１−４を、薬液ディスペンサ２−１〜２−４と別個に設ける例について説明したが、薬液ディスペンサ２−１〜２−４中に、対応する電子機器１−１〜１−４を含むようにして一体にしてもよい。
【００８０】
なお、本実施形態では、手洗い管理について説明したが、これに限ったものではなく、床用洗浄剤や台所用食器洗剤等の清掃用品のディスペンサの管理、ビールサーバーやコーヒーマシーン、ドリンクバーのディスペンサ等の飲料機器の管理にも用いることができる。また、食器洗い機（食洗機）の管理にも用いることができる。具体的には例えば電子機器が食器洗い機（食洗機）のデータを取得し、取得したデータを情報処理装置へ送信することによって、情報処理装置が食洗機のデータを蓄積することにより、食洗機を管理してもよい。
【００８１】
なお、本実施形態では、ノズルの動きを検知するためのセンサ１６として、一例として赤外線センサについて説明したが、光源１５から出射された他の帯域の光を検出するセンサであってもよい。
また、センサ１６は、超音波センサであってもよい。この場合、光源１５の代わりに超音波出射器が、超音波をノズル２２に向け発信し、超音波センサがその反射波を受信することにより、ノズルの動きを検知して、プロセッサ１７が、薬液ディスペンサ２が使用されたか否かを判定してもよい。
また、センサ１６は、誘導型近接センサであってもよい。この場合、誘導型近接センサより発生された磁界にノズルが近づくと、誘導型近接センサがそれを検知して、プロセッサ１７が、薬液ディスペンサ２が使用されたか否かを判定してもよい。
また、センサ１６は、静電容量センサであってもよい。この場合、ノズル２２が動作することにより、静電容量センサが、当該静電容量センサとノズル２２の間に生じる静電容量の変化を検知して、プロセッサ１７が、薬液ディスペンサ２が使用されたか否かを判定してもよい。
【００８２】
以上、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。更に、異なる実施形態にわたる構成要素を適宜組み合わせてもよい。
【符号の説明】
【００８３】
１  電子機器
１１  通信モジュール
１２  記憶部
１３  リーダ
１４  音出力器
１５  光源
１６  センサ
１７  プロセッサ
２  薬液ディスペンサ
２１  ボトル
２２  ノズル
２２１  蛇腹部材
２３  押部材
２４  アクチュエータ
２５  第２の光源
２６  第２のセンサ
２７  プロセッサ
３  情報処理装置
３１  記憶部
３２  メモリ
３３  入力部
３４  通信部
３５  ＣＰＵ
４  端末装置
Ｓ  情報処理システム
【図１】
2020039658.tif 000003
【図２】
2020039658.tif 000004
【図３】
2020039658.tif 000005
【図４】
2020039658.tif 000006
【図５】
2020039658.tif 000007
【図６】
2020039658.tif 000008
【図７Ａ】
2020039658.tif 000009
【図７Ｂ】
2020039658.tif 000010
【図８】
2020039658.tif 000011
【図９】
2020039658.tif 000012
【図１０】
2020039658.tif 000013